(57)【要約】【課題】複数の非接触ＩＣカードをほぼ同時に使用する利用者の利便性を高める。【解決手段】有料道路の出口には、出口料金収受装置１２が設置されている。この出口料金収受装置１２は、ＩＣカードを使用する日からＩＣカードの有効期限までのある期間に対して利用制限情報が目安値テーブル６０として記憶されたメモリ４１と、一度の取引の処理対象とされる複数のＩＣカードよりそれぞれの有効期限の情報を読み取る手段としての非接触ＩＣカードリーダ/ライタ４６と、読み取った各ＩＣカードの有効期限と現在の日付とから日数差を算出し、算出した各ＩＣカードの日数差が、メモリ４１に記憶されている期間に該当するか否かを判定し、この判定により期間に該当したＩＣカードを優先して料金処理を行うＣＰＵ４９とを備える。【選択図】図４
2005189998.tif 000002
【特許請求の範囲】
【請求項１】
料金前納式のＩＣカードを使用可能な期間に対して利用制限情報が記憶された記憶手段と、
一度の取引の処理対象とされるＩＣカードより使用可能な期間情報を読み取る読取手段と、
前記読取手段により読み取られたＩＣカードの使用可能な期間と現在の利用のときの期間の関係を算出する算出手段と、
前記算出手段により算出された期間の関係が、前記記憶手段に記憶されている期間に該当するか否かを判定する判定手段と、
前記判定手段による判定により期間に該当したＩＣカードに対して前記利用制限情報に基づく処理を行う処理手段と
を具備したことを特徴とするＩＣカード処理装置。
【請求項２】
有料道路の入口において、出口での料金算出に必要な入口情報を料金前納式のＩＣカードに書き込み、出口では前記ＩＣカードに記憶された入口情報と残額情報と出口の情報とを基に有料道路の通行料金を収受する料金収受システムに用いるＩＣカード処理装置において、
前記ＩＣカードを使用可能な期間に対して利用制限情報が記憶された記憶手段と、
一度の取引の処理対象とされるＩＣカードより使用可能な期間情報を読み取る読取手段と、
前記読取手段により読み取られたＩＣカードの使用可能な期間と現在の利用のときの期間の関係を算出する算出手段と、
前記算出手段により算出された期間の関係が、前記記憶手段に記憶されている期間に該当するか否かを判定する判定手段と、
前記判定手段による判定により期間に該当したＩＣカードの中で有効期限が最も近いＩＣカード、あるいは有効期限が同じものが複数ある場合には残額が最小のＩＣカードへ前記入口情報を書き込む処理手段と
を具備したことを特徴とするＩＣカード処理装置。
【請求項３】
有料道路の入口において、出口での料金算出に必要な入口情報を料金前納式のＩＣカードに書き込み、出口では前記ＩＣカードに記憶された入口情報と残額情報と出口の情報とを基に有料道路の通行料金を収受する料金収受システムに用いるＩＣカード処理装置において、
前記ＩＣカードを使用可能な期間に対して利用制限情報が記憶された記憶手段と、
一度の取引の処理対象とされるＩＣカードより使用可能な期間情報を読み取る読取手段と、
前記読取手段により読み取られたＩＣカードの使用可能な期間と現在の利用のときの期間の関係を算出する算出手段と、
前記算出手段により算出された期間の関係が、前記記憶手段に記憶されている期間に該当するか否かを判定する判定手段と、
前記判定手段による判定により期間に該当したＩＣカードを優先して料金処理を行う処理手段と
を具備したことを特徴とするＩＣカード処理装置。
【請求項４】
料金前納式のＩＣカードを使用可能な期間に対して利用制限情報が記憶された記憶手段と、
一度の取引の処理対象とされるＩＣカードより使用可能な期間情報を読み取る読取手段と、
前記読取手段により読み取られたＩＣカードの使用可能な期間と現在の利用のときの期間の関係を算出する算出手段と、
前記算出手段により算出された期間の関係が、前記記憶手段に記憶されている期間に該当するか否かを判定する判定手段と、
前記判定手段による判定により前記期間に該当したＩＣカードに対し前記積み増し限度額の範囲内で残額の積み増し処理を行う処理手段と
を具備したことを特徴とするＩＣカード処理装置。
【請求項５】
料金前納式のＩＣカードを使用する一度の取引の際に、処理対象とされるＩＣカードより利用可能な期間の情報を読取手段が読み取るステップと、
前記読取手段が読み取った各ＩＣカードの利用可能な期間と現在の利用のときの機関の関係を算出手段が算出するステップと、
前記算出手段が算出した期間の関係が、ある期間に対して利用制限情報が記憶された記憶手段の期間に該当するか否かを判定手段が判定するステップと、
前記判定手段による判定により前記期間に該当したＩＣカードに対して処理手段が前記利用制限情報に基づく処理を行うステップと
を有することを特徴とするＩＣカード処理方法。
【請求項６】
有料道路の入口において、出口での料金算出に必要な入口情報を料金前納式のＩＣカードに書き込み、出口では前記ＩＣカードに記憶された入口情報と残額情報と出口の情報とを基に利用料金を収受する料金収受システムにおけるＩＣカード処理方法において、
料金前納式のＩＣカードを使用する一度の取引の際に、処理対象とされる複数のＩＣカードよりそれぞれの利用可能な期間の情報を読取手段が読み取るステップと、
前記読取手段が読み取った各ＩＣカードの利用可能な期間と現在の利用のときの期間の関係を算出手段が算出するステップと、
前記算出手段が算出した期間の関係が、ある期間に対して利用制限情報が記憶された前記記憶手段の期間に該当するか否かを判定手段が判定するステップと、
前記判定手段による判定により期間に該当したＩＣカードの中で有効期限が最も近いＩＣカード、あるいは有効期限が同じものが複数ある場合には残額が最小のＩＣカードへ前記入口情報を処理手段が書き込むステップと
を有することを特徴とするＩＣカード処理方法。
【請求項７】
有料道路の入口において、出口での料金算出に必要な入口情報を料金前納式のＩＣカードに書き込み、出口では前記ＩＣカードに記憶された入口情報と残額情報と出口の情報とを基に利用料金を収受する料金収受システムにおけるＩＣカード処理方法において、
料金前納式のＩＣカードを使用する一度の取引の際に、処理対象とされる複数のＩＣカードよりそれぞれの利用可能な期間の情報を読取手段が読み取るステップと、
前記読取手段が読み取った各ＩＣカードの利用可能な期間と現在の利用のときの期間の関係を算出手段が算出するステップと、
前記算出手段が算出した期間の関係が、ある期間に対して利用制限情報が記憶された前記記憶手段の期間に該当するか否かを判定手段が判定するステップと、
前記判定手段による判定により期間に該当したＩＣカードを優先して処理手段が料金処理を行うステップと
を有することを特徴とするＩＣカード処理方法。
【請求項８】
料金前納式のＩＣカードより利用可能な期間と残額の情報を読取手段が読み取るステップと、
前記読取手段が読み取ったＩＣカードの利用可能な期間と現在の利用のとき期間の関係を算出手段が算出するステップと、
前記算出手段が算出した期間の関係が、ある期間に対して残額の積み増し限度額が記憶された記憶手段の期間に該当するか否かを判定手段が判定するステップと、
前記判定手段による判定により前記期間に該当したＩＣカードに対し処理手段が前記積み増し限度額の範囲内で残額の積み増し処理を行うステップと
を有することを特徴とするＩＣカード処理方法。
【発明の詳細な説明】
【技術分野】
【０００１】
本発明は、例えば有料道路の料金収受システムや鉄道の自動改札機などに用いられるＩＣカード処理装置、ＩＣカード処理方法に関する。
【背景技術】
【０００２】
有料道路の料金収受システムや鉄道の自動改札機などでは、カード自体に残額が記録されているプリペイドカードから料金を引き去る方式が採用されている。
これらのシステムでは、引き去る料金が１枚のプリペイドカードの残額では足りない場合に、引き去りきれない料金を別のプリペイドカードから引き去る方式が採られている。
【０００３】
たとえば、有料道路の料金収受システムでは、磁気記録方式で料金前納タイプのプリペイドカード(以下磁気カードと称す)を用いた料金収受が行われている。
【０００４】
有料道路の料金所で磁気カードを処理する場合、カードリーダ/ライタに初めに挿入されたプリペイドカードの残額をチェックして、その残額が引き去る料金に満たない場合、まずは、そのプリペイドカードの残額を０にするように料金を収受してカードリーダ/ライタよりプリペイドカードを排出し、次にカードリーダ/ライタに挿入された２枚目以降のプリペイドカードの残額で、残りの料金を順次引き去ることが行われている。
また、有料道路では、磁気カードと併用する形で無線方式のＩＣカードを用いたノンストップ自動料金収受システムの運用も開始されている。
【０００５】
一方、鉄道の自動改札機は、磁気カードを複数枚取り込み保留できる構造となっており、読み取った複数の磁気カードの残額を比較して、残額の少ない磁気カードから料金を引き去り、１枚の磁気カードの残額では、料金に満たない場合にはその差額を別の磁気カードの残額から引き去り排出する方式が採られている（たとえば特許文献１参照）。
また、有効期限をもつＩＣカードにおいて、ＩＣカードの有効期限切れにより取引中止となった場合に、利用者にその理由を明示させるため、利用者に事前にＩＣカードの更新を促す通知を行うシステムが提案されている（たとえば特許文献２参照）。
【特許文献１】特開平１０−２７５２５６号公報
【特許文献２】特開２００３−１４１６０５号公報
【発明の開示】
【発明が解決しようとする課題】
【０００６】
最近、鉄道では、ＩＣカードの中でもアンテナにタッチする方式のＩＣカード（非接触ＩＣカード）が用いられており、また、有料道路でも非接触ＩＣカードの導入が検討されている。
鉄道などで利用されている料金前納タイプの非接触ＩＣカードでは、たとえばテレフォンカードのように、偽造対策等の観点からカード媒体自身に有効期限を設定しているものが多く、有効期限が近づくと、新たなプリペイドカードを購入せざるを得ない。
利用者が有効期限の異なる複数のカードを所持している場合、たとえば、有効期限が間近のプリペイドカードの残額が、有効期限が遠いプリペイドカードの残額よりも大きい場合、従来は、有効期限の遠いプリペイドカードから先に引き去られてしまい、有効期限の近いカードは、残額が残ったまま有効期限を迎えてしまうことがある。
【０００７】
また、鉄道においては、残額積み増し機能を搭載した非接触ＩＣカードが利用されているが、この非接触ＩＣカードには、有効期限があるものの、利用者には判りにくく、有効期限が間近にせまったカードに無意識のうちに高額の金額を積み増してしまい、残額を使い切る前に有効期限を迎えてしまい、利用者が不利益を被る恐れがあるという問題があった。
【０００８】
本発明はこのような課題を解決するためになされたもので、料金前納式のＩＣカードを使用する利用者の利便性を高めることができるＩＣカード処理装置、ＩＣカード処理方法を提供することを目的としている。
【課題を解決するための手段】
【０００９】
上記した課題を解決するために、請求項１記載の発明のＩＣカード処理装置は、料金前納式のＩＣカードを使用可能な期間に対して利用制限情報が記憶された記憶手段と、一度の取引の処理対象とされるＩＣカードより使用可能な期間情報を読み取る読取手段と、前記読取手段により読み取られたＩＣカードの使用可能な期間と現在の利用のときの期間の関係を算出する算出手段と、前記算出手段により算出された期間の関係が、前記記憶手段に記憶されている期間に該当するか否かを判定する判定手段と、前記判定手段による判定により期間に該当したＩＣカードに対して前記利用制限情報に基づく処理を行う処理手段とを具備したことを特徴とする。
【００１０】
請求項２記載の発明のＩＣカード処理装置は、有料道路の入口において、出口での料金算出に必要な入口情報を料金前納式のＩＣカードに書き込み、出口では前記ＩＣカードに記憶された入口情報と残額情報と出口の情報とを基に有料道路の通行料金を収受する料金収受システムに用いるＩＣカード処理装置において、前記ＩＣカードを使用可能な期間に対して利用制限情報が記憶された記憶手段と、一度の取引の処理対象とされるＩＣカードより使用可能な期間情報を読み取る読取手段と、前記読取手段により読み取られたＩＣカードの使用可能な期間と現在の利用のときの期間の関係を算出する算出手段と、
前記算出手段により算出された期間の関係が、前記記憶手段に記憶されている期間に該当するか否かを判定する判定手段と、前記判定手段による判定により期間に該当したＩＣカードの中で有効期限が最も近いＩＣカード、あるいは有効期限が同じものが複数ある場合には残額が最小のＩＣカードへ前記入口情報を書き込む処理手段とを具備したことを特徴とする。
【００１１】
請求項３記載の発明のＩＣカード処理装置は、有料道路の入口において、出口での料金算出に必要な入口情報を料金前納式のＩＣカードに書き込み、出口では前記ＩＣカードに記憶された入口情報と残額情報と出口の情報とを基に有料道路の通行料金を収受する料金収受システムに用いるＩＣカード処理装置において、前記ＩＣカードを使用可能な期間に対して利用制限情報が記憶された記憶手段と、一度の取引の処理対象とされるＩＣカードより使用可能な期間情報を読み取る読取手段と、前記読取手段により読み取られたＩＣカードの使用可能な期間と現在の利用のときの期間の関係を算出する算出手段と、前記算出手段により算出された期間の関係が、前記記憶手段に記憶されている期間に該当するか否かを判定する判定手段と、前記判定手段による判定により期間に該当したＩＣカードを優先して料金処理を行う処理手段とを具備したことを特徴とする。
【００１２】
請求項４記載の発明のＩＣカード処理装置は、料金前納式のＩＣカードを使用可能な期間に対して利用制限情報が記憶された記憶手段と、一度の取引の処理対象とされるＩＣカードより使用可能な期間情報を読み取る読取手段と、前記読取手段により読み取られたＩＣカードの使用可能な期間と現在の利用のときの期間の関係を算出する算出手段と、前記算出手段により算出された期間の関係が、前記記憶手段に記憶されている期間に該当するか否かを判定する判定手段と、前記判定手段による判定により前記期間に該当したＩＣカードに対し前記積み増し限度額の範囲内で残額の積み増し処理を行う処理手段とを具備したことを特徴とする。
【００１３】
請求項５記載の発明のＩＣカード処理方法は、料金前納式のＩＣカードを使用する一度の取引の際に、処理対象とされるＩＣカードより利用可能な期間の情報を読取手段が読み取るステップと、前記読取手段が読み取った各ＩＣカードの利用可能な期間と現在の利用のときの機関の関係を算出手段が算出するステップと、前記算出手段が算出した期間の関係が、ある期間に対して利用制限情報が記憶された記憶手段の期間に該当するか否かを判定手段が判定するステップと、前記判定手段による判定により前記期間に該当したＩＣカードに対して処理手段が前記利用制限情報に基づく処理を行うステップとを有することを特徴とする。
【００１４】
請求項６記載の発明のＩＣカード処理方法は、有料道路の入口において、出口での料金算出に必要な入口情報を料金前納式のＩＣカードに書き込み、出口では前記ＩＣカードに記憶された入口情報と残額情報と出口の情報とを基に利用料金を収受する料金収受システムにおけるＩＣカード処理方法において、料金前納式のＩＣカードを使用する一度の取引の際に、処理対象とされる複数のＩＣカードよりそれぞれの利用可能な期間の情報を読取手段が読み取るステップと、前記読取手段が読み取った各ＩＣカードの利用可能な期間と現在の利用のときの期間の関係を算出手段が算出するステップと、前記算出手段が算出した期間の関係が、ある期間に対して利用制限情報が記憶された前記記憶手段の期間に該当するか否かを判定手段が判定するステップと、前記判定手段による判定により期間に該当したＩＣカードの中で有効期限が最も近いＩＣカード、あるいは有効期限が同じものが複数ある場合には残額が最小のＩＣカードへ前記入口情報を処理手段が書き込むステップとを有することを特徴とする。
【００１５】
請求項７記載の発明のＩＣカード処理方法は、有料道路の入口において、出口での料金算出に必要な入口情報を料金前納式のＩＣカードに書き込み、出口では前記ＩＣカードに記憶された入口情報と残額情報と出口の情報とを基に利用料金を収受する料金収受システムにおけるＩＣカード処理方法において、料金前納式のＩＣカードを使用する一度の取引の際に、処理対象とされる複数のＩＣカードよりそれぞれの利用可能な期間の情報を読取手段が読み取るステップと、前記読取手段が読み取った各ＩＣカードの利用可能な期間と現在の利用のときの期間の関係を算出手段が算出するステップと、前記算出手段が算出した期間の関係が、ある期間に対して利用制限情報が記憶された前記記憶手段の期間に該当するか否かを判定手段が判定するステップと、前記判定手段による判定により期間に該当したＩＣカードを優先して処理手段が料金処理を行うステップとを有することを特徴とする。
【００１６】
請求項８記載の発明のＩＣカード処理方法は、料金前納式のＩＣカードより利用可能な期間と残額の情報を読取手段が読み取るステップと、前記読取手段が読み取ったＩＣカードの利用可能な期間と現在の利用のとき期間の関係を算出手段が算出するステップと、前記算出手段が算出した期間の関係が、ある期間に対して残額の積み増し限度額が記憶された記憶手段の期間に該当するか否かを判定手段が判定するステップと、前記判定手段による判定により前記期間に該当したＩＣカードに対し処理手段が前記積み増し限度額の範囲内で残額の積み増し処理を行うステップとを有することを特徴とする。
【００１７】
本発明では、料金前納式のＩＣカードを使用する一度の取引の際に、処理対象とされるＩＣカードより利用可能な期間の情報を読取手段が読み取る。読取手段が読み取ったＩＣカードの利用可能な期間と現在の利用のときの期間の関係を算出し、算出した期間の関係が、ある期間に対して利用制限情報が記憶された記憶手段の期間に該当するか否かを判定する。この判定により期間に該当したＩＣカードに対して利用制限情報に基づく処理を行うので、ＩＣカードの利用可能な期間がある期間内に達したＩＣカードについては、たとえば高額の積み増しを行えないようにするなどの利用制限がかかるようになり、利用者が利用可能な期間の短くなったカードに気づかずに高額の金額を積み増してしまい、残額を使い切らずに利用可能な期間を超過し、利用者が不利益を被ることを防止できる。
また、有料道路の入口などでは、記憶手段に記憶されている期間に該当したＩＣカードの中で利用可能な期間が最も短いか、あるいは利用可能な期間が同じカードが複数ある場合には残額が最小のＩＣカードへ入口情報を書き込むので、出口において、利用可能な期間が最も短いＩＣカードから優先して料金処理し、利用可能な期間が同じカードであれば残額が最小のＩＣカードを優先して料金処理するようになる。
有料道路の出口では、記憶手段に記憶されている期間に該当したＩＣカードを優先して料金処理を行うので、利用可能な期間が短くなったＩＣカードから優先的に処理されるようになり、利用可能な期間が短くなったＩＣカード、つまり有効期限の近づいたＩＣカードの残額を早めに減額できる。
さらに、ＩＣカード処理装置でＩＣカードの残額を積み増す際には、記憶手段の期間に該当するか否かを判定し、この判定により期間に該当したＩＣカードに対し積み増し限度額の範囲内で残額の積み増し処理を行うので、利用可能な期間が短くなったＩＣカードに利用者が不用意に高額を積み増すことを防止できる。
【発明の効果】
【００１８】
以上説明したように本発明によれば、料金前納式のＩＣカードを使用する利用者の利便性を高めることができる。
【発明を実施するための最良の形態】
【００１９】
以下、本発明の実施の形態を図面を参照して詳細に説明する。
図１は本発明に係る一つの実施の形態の料金収受システムの構成を示す図、図２は非接触ＩＣカードのファイル構造を示す図、図３は入口料金収受装置のブロック図、図４は出口料金収受装置のブロック図、図５は積み増し装置のブロック図、図６は日数差と積み増し上限値とを対応させた目安値テーブルを示す図である。
図１に示すように、この料金収受システムは、有料道路の入口に設置された入口料金収受装置１１と、有料道路の出口に設置された出口料金収受装置１２と、有料道路内のパーキングエリア、サービスエリア、有料道路外の所定のカード販売店などに設置された積み増し装置１３、有料道路を運営する運営元に設置され、入口料金収受装置１１、出口料金収受装置１２、積み増し装置１３などのＩＣカード処理装置と通信回線を通じて接続されたデータ処理装置１４などから構成されている。
この料金収受システムは、有料道路の入口において、出口での料金算出に必要な入口情報を料金前納式のＩＣカードとしての非接触ＩＣカードに書き込み、出口では非接触ＩＣカードに記憶された入口情報と残額情報と出口の情報とを基に利用料金を収受するシステムである。
【００２０】
入口料金収受装置１１は、非接触ＩＣカードに対して入口情報・車種情報の書き込みを行い、入口情報書き込み結果を、取引明細データ（入口処理情報２２を含む入口トランザクションデータ）としてデータ処理装置へ送信する。
【００２１】
出口料金収受装置１２は、非接触ＩＣカードに記録されている入口情報・車種情報を読み取り、通行料金を計算し、非接触ＩＣカードの残額から通行料金を引き去り、引き去り結果を取引明細データ（出口トランザクションデータ）としてデータ処理装置１４へ送信する。また、積み増し金額を入力し、非接触ＩＣカードの残額に加算するとともに、積み増し結果を取引明細データ（積み増しトランザクションデータ）としてデータ処理装置１４へ送信することも可能である。
【００２２】
積み増し装置１３は、利用者が入力した積み増し金額を、非接触ＩＣカードの残額に加算するとともに、積み増し結果を取引明細データ（積み増しトランザクションデータ）としてデータ処理装置１４へ送信する。
【００２３】
データ処理装置１４は、入口料金収受装置１１、出口料金収受装置１２へ料金所番号や料金テーブル、目安値テーブル等のパラメータを配信するとともに、入口料金収受装置１１、出口料金収受装置１２、積み増し装置１３からの各取引明細データ（入口トランザクションデータ、出口トランザクションデータ、積み増しトランザクションデータ）を集信し、非接触ＩＣカードの残額情報を更新する。
非接触ＩＣカードは、アンテナ、制御部、メモリなどを備えている。アンテナは、入口料金収受装置１１、出口料金収受装置１２、積み増し装置１３の非接触ＩＣカードリーダ/ライタ３６、４６、５６より所定範囲に発信される微弱電波を受けて非接触ＩＣカードリーダ/ライタ３６、４６、５６と無線通信を行う。制御部は、メモリに記憶されている情報をアンテナより送信するとともに、アンテナにより受信された処理結果の情報をメモリに記憶する。
【００２４】
非接触ＩＣカードのメモリには、図２に示すように、有料道路の利用に関する各種情報がファイルの形式で記憶されている。ファイルは、カード発行情報２１、入口処理情報２２、出口処理情報２３、積み増し情報２４、残額情報２５、利用履歴情報２６等を有している。
【００２５】
カード発行情報２１は、非接触ＩＣカードのＩＤ番号、発行日、券種、有効期限等の情報を有しており、有効期限とは非接触ＩＣカードが利用可能な期間を示す情報である。非接触ＩＣカード発行時に記録され、以後書き換わることはない。
入口処理情報２２は、入口料金所番号、入口処理年月日時分、車種情報、入口情報有効フラグ等からなり、入口料金収受装置１１にて記録される。なお、入口情報有効フラグは、出口料金収受装置１２にて通行料金を算出し、料金引き去り後にはオフされる。
出口処理情報２３は、出口料金所番号、出口処理年月日時分、車種情報、通行料金、残額情報などを有しており、出口料金収受装置１２にて料金を収受したときに記録される。
積み増し情報２４は、積み増し場所番号、積み増し処理年月日時分、積み増し金額、残額情報などを有しており、出口料金収受装置１２または積み増し装置１３にて、非接触ＩＣカードの残額の積み増しを行った場合に記録される。
【００２６】
図３に示すように、入口料金収受装置１１は、入口車線制御装置３０、通行券発行部３２、利用者表示部３３、非接触ＩＣカードリーダ/ライタ３６を備えている。
【００２７】
通行券発行部３２は、入口車線制御装置３０により制御されて、通行券の磁気記録・搬送、印字などを行う。利用者表示部３３は、入口車線制御装置３０により制御されて、利用者に対して通行券の発行案内、非接触ＩＣカードの処理結果通知を行う。非接触ＩＣカードリーダ/ライタ３６は、入口車線制御装置３０により制御されて、自身にかざされた少なくとも一つの非接触ＩＣカードの入口処理に関する情報の読み取りおよび書き込みを行う。つまり、非接触ＩＣカードリーダ/ライタ３６は、一度の取引の処理対象とされる複数の非接触ＩＣカードよりそれぞれの有効期限の情報を読み取る手段として機能する。
入口車線制御装置３０は、メモリ３１、Ｉ／Ｏ制御部３５、伝送制御部３８、非接触ＩＣカードリーダ/ライタ制御部３７、ＣＰＵ３９などから構成されており、入口料金収受装置全体の動作を制御する。
メモリ３１には、データ処理装置１４から配信されてきた料金所番号や料金テーブル、目安値テーブル６０（図６参照）等のパラメータ、ＣＰＵ３９により処理される情報、案内用のメッセージが記憶されている。
Ｉ／Ｏ制御部３５は、通行券発行部３２および利用者表示部３３などの機器との入出力インターフェースである。伝送制御部３８は、データ処理装置１４とのデータのやり取りを制御する。非接触ＩＣカードリーダ/ライタ制御部３７は、非接触ＩＣカードリーダ/ライタ３６が行う非接触ＩＣカードに対するデータの書き込み及び読み出しを制御する。
【００２８】
ＣＰＵ３９は、入口車線における処理全般を制御する制御手段であり、現在の時刻を計時する時計機能を備えている。ＣＰＵ３９は、非接触ＩＣカードリーダ/ライタ３６により読み取られた一度の取引の処理対象とされる少なくとも一つの非接触ＩＣカードの有効期限と現在の利用のとき（今日の日付）から互いの期間の関係（具体的には日数差）を算出する算出手段と、この算出手段により算出された期間の関係（日数差）が、メモリ３１に記憶されている目安値テーブル６０の利用制限情報（日数差６１、積み増し上限値６２）に該当するか否かを判定する判定手段と、この判定手段による判定により利用制限情報に該当した非接触ＩＣカードの中で有効期限までの日数が最短、あるいは残額が最小の非接触ＩＣカードへ入口情報を書き込む手段として機能する。つまり、ＣＰＵ３９は、目安値テーブル６０に設定されている期間に該当した非接触ＩＣカードに対して利用制限情報に基づく処理を行う。
【００２９】
図４に示すように、出口料金収受装置１２は、出口車線制御装置４０、通行券処理部４２、領収書発行部４３、表示操作部４４、非接触ＩＣカードリーダ/ライタ４６などを備えている。
通行券処理部４２は、出口車線制御装置４０により制御されて、通行券の磁気記録・搬送などを行う。領収書発行部４３は、出口車線制御装置４０により制御されて、収受した通行料金額、または積み増し金額に応じた領収書を印刷・発行する。表示操作部４４は、出口車線制御装置４０により制御されて、係員が各種情報の入力を行い、また係員に対して処理結果等を表示する。非接触ＩＣカードリーダ/ライタ４６は、出口車線制御装置４０により制御されて、自身にかざされた少なくとも一つの非接触ＩＣカードより出口処理に関する情報の読み取り・書き込みを行う。読み取られる出口処理に関する情報は、カード発行情報２１、入口処理情報２２、残額情報２５などである。カード発行情報２１には有効期限の情報が含まれる。書き込まれる出口処理に関する情報は、出口処理情報２３、残額情報２５である。つまり、非接触ＩＣカードリーダ/ライタ４６は、一度の取引の処理対象とされる複数の非接触ＩＣカードよりそれぞれの有効期限の情報を読み取る手段として機能する。
【００３０】
出口車線制御装置４０は、メモリ４１、Ｉ／Ｏ制御部４５、伝送制御部４８、非接触ＩＣカードリーダ/ライタ制御部４７、ＣＰＵ４９などから構成されており、出口料金収受装置全体の動作を制御する。
メモリ４１には、データ処理装置１４から配信されてきた料金所番号や料金テーブル、目安値テーブル６０（図６参照）等のパラメータ、ＣＰＵ４９により処理される情報、案内用のメッセージが記憶されている。料金テーブルは、有料道路内の各料金所間における区間料金のデータが設定されたテーブルである。
Ｉ／Ｏ制御部４５は、通行券処理部４２、領収書発行部４３および表示操作部４４などの機器との入出力インターフェースである。伝送制御部４８は、データ処理装置１４とのデータのやり取りを制御する。非接触ＩＣカードリーダ/ライタ制御部４７は、非接触ＩＣカードリーダ/ライタ４６が行う非接触ＩＣカードに対するデータの書き込み及び読み出しを制御する。
【００３１】
ＣＰＵ４９は、出口車線における処理全般を制御する制御手段であり、現在の時刻を計時する時計機能を備えている。ＣＰＵ４９は、非接触ＩＣカードリーダ/ライタ４６により読み取られた各非接触ＩＣカードの有効期限と現在の利用のとき（今日の日付）から互いの期間の関係（具体的には日数差）を算出する算出手段と、この算出手段により算出された期間の関係（日数差）が、メモリ４１に記憶されている目安値テーブル６０の利用制限情報（日数差６１、積み増し上限値６２）に該当するか否かを判定する判定手段と、この判定手段による判定により利用制限情報に該当した非接触ＩＣカードの中で有効期限までの日数が最短、あるいは残額が最小の非接触ＩＣカードから順に優先して料金収受処理を行う手段として機能する。つまり、ＣＰＵ４９は、目安値テーブル６０の期間に該当した非接触ＩＣカードに対して利用制限情報に基づく処理を行う。
【００３２】
図５に示すように、積み増し装置１３は、積み増し制御装置５０、現金処理部５２、領収書発行部５３、表示操作部５４、非接触ＩＣカードリーダ/ライタ５６などを備えている。
現金処理部５２は、利用者が表示操作部５４に入力した現金を計数し、積み増し制御装置５０へ通知する。領収書発行部５３は、積み増し制御装置５０により制御されて、利用者が入力した積み増し金額に応じた領収書を印刷・発行する。表示操作部５４は、積み増し制御装置５０により制御されて、利用者が各種情報の入力を行い、また利用者に対して処理結果等を表示する。非接触ＩＣカードリーダ/ライタ５６は、積み増し制御装置５０により制御されて、非接触ＩＣカードの情報の読み取り・書き込みを行う。
【００３３】
積み増し制御装置５０は、メモリ５１、Ｉ／Ｏ制御部５５、伝送制御部５８、非接触ＩＣカードリーダ/ライタ制御部５７、ＣＰＵ５９などから構成されており、積み増し装置全体の動作を制御する。メモリ５１には、データ処理装置１４から配信されてきた積み増し場所番号や目安値テーブル６０（図６参照）等のパラメータ、ＣＰＵ５９により処理される情報、案内用のメッセージが記憶されている。
Ｉ／Ｏ制御部５５は、現金処理部５２、領収書発行部５３および表示操作部５４などの機器との入出力インターフェースである。伝送制御部５８は、データ処理装置１４とのデータのやり取りを制御する。非接触ＩＣカードリーダ/ライタ制御部５７は、非接触ＩＣカードリーダ/ライタ５６が行う非接触ＩＣカードに対するデータの書き込み及び読み出しを制御する。
【００３４】
ＣＰＵ５９は、積み増し装置における処理全般を制御する制御手段であり、現在の時刻を計時する時計機能を備えている。ＣＰＵ５９は、非接触ＩＣカードリーダ/ライタ５６により読み取られた一度の取引の処理対象とされる少なくとも一つの非接触ＩＣカードの有効期限と現在の利用のとき（今日の日付）から互いの期間の関係（具体的には日数差）を算出する算出手段と、この算出手段により算出された期間の関係（日数差）が、メモリ５１に記憶されている目安値テーブル６０の利用制限情報（日数差６１、積み増し上限値６２）に該当するか否かを判定する判定手段と、この判定手段による判定により利用制限情報（日数差６１、積み増し上限値６２）に該当した非接触ＩＣカードに対し積み増し上限値６２の範囲内で残額の積み増し処理を行う手段として機能する。つまり、ＣＰＵ５９は、目安値テーブル６０の期間に該当した非接触ＩＣカードに対して利用制限情報に基づく処理を行う。
【００３５】
図６に示すように、各装置の記憶手段としてのメモリ３１、４１、５１には、目安値テーブル６０が記憶されている。
目安値テーブル６０には、処理日付と有効期限の日数差６１（期間）に対応させて目安となる積み増し金額の上限値６２（以下積み増し上限値６２と称す）がテーブル形式で設定されている。積み増し上限値６２は残額の積み増しを制限する情報である。この例では、たとえば、処理日付と有効期限の日数差が10-6日であれば、積み増し上限値６２は50,000円以内、理日付と有効期限の日数差が5-2日であれば、積み増し上限値６２は30,000円以内、理日付と有効期限の日数差が1-0日であれば、積み増し上限値６２は10,000円以内などと設定されている。つまり、この目安値テーブル６０には、非接触ＩＣカードを使用する日から非接触ＩＣカードの有効期限までのいくつかの期間（10-6日、5-2日、1-0日）毎に積み増し上限値６２という利用制限情報が記憶されている。
【００３６】
以下、この料金収受システムの動作を説明する。
まず、図７のフローチャートを参照して有料道路の入口車線に設置された入口料金収受装置１１における入口処理について説明する。
入口料金収受装置１１では、非接触ＩＣカードリーダ/ライタ３６に非接触ＩＣカード（以下カードと称す）がかざされて、カードが検知されるのを待機している（Step701:以下S701と称す）。
そして、有料道路の入口車線に車両が進入し、車両の運転者が車両を入口車線の路側に設置された非接触ＩＣカードリーダ/ライタ３６の位置に停止させてカードを非接触ＩＣカードリーダ/ライタ３６にかざすと、非接触ＩＣカードリーダ/ライタ３６とカード間でデータ通信が開始されて、非接触ＩＣカードリーダ/ライタ３６は、カードより、上記図２に示したカードの情報のうち入口処理に必要な情報（カード発行情報２１、残額情報２５など）を取得する。非接触ＩＣカードリーダ/ライタ３６とカードとの間で通信が開始されたことで非接触ＩＣカードリーダ/ライタ制御部３７からＣＰＵ３９へその旨が通知され、ＣＰＵ３９はカードを検知する(S701のYES)。
【００３７】
カードを検知すると、ＣＰＵ３９は、カードの検出枚数（複数枚か一枚か）をチェックする(S702)。具体的には、ＣＰＵ３９は、非接触ＩＣカードリーダ/ライタ３６によりほぼ同じ時刻に得られたカードのID番号の数をチェックする。
このチェック結果、カードのID番号が一つだけ得られた場合、つまりカードが一枚だけ検知された場合(S702のNO)、ＣＰＵ３９はそのカードへ入口情報を送信する(S703)。
【００３８】
一方、カードのID番号が複数個得られた場合、つまりカードが複数枚検知された場合(S702のYES)、ＣＰＵ３９は、カードから得られた情報（カード発行情報２１、残額情報２５など）を基にそれぞれのカードの有効期限と現在日付の日数差を算出する(S704)。
ＣＰＵ３９は、算出した各カードの日数差をキーにメモリ３１の目安値テーブル６０に設定されている、ある一定日数以下（日数差の範囲）のカードの有無をチェックする(S704)。
一定日数以下のカードがある場合(S705のYES)、ＣＰＵ３９は、それぞれのカードの有効期限が異なるか否かをチェックする(S706)。
【００３９】
このチェックの結果、それぞれのカードの有効期限が異なる場合(S706のYES)、ＣＰＵ３９は、非接触ＩＣカードリーダ/ライタ制御部３７に対して日数差が最も小さいカードに対してメモリ３１の入口情報を送信するよう指示し、非接触ＩＣカードリーダ/ライタ制御部３７は、この指示にしたがって非接触ＩＣカードリーダ/ライタ３６を制御してカードへ入口情報を送信しカードのメモリへ書き込む(S707)。入口情報とは入口料金所番号、入口日付、入口時刻、入口車種などである。入口車種とは、入口車線に車両が進入した際に入口車線に設置された車種自動判別装置、あるいは係員操作により決定された車両の料金区分の車種であり、たとえば大型特殊、大型、中型、小型、軽自動車、特殊車両などである。
送信した入口情報がカードに正常に受信され入口処理情報２２として記憶されたことの返信が非接触ＩＣカードリーダ/ライタ３６に受信されると、ＣＰＵ３９は、入口処理明細データ（入口トランザクションデータ）をデータ処理装置１４へ送信して(S708)、入口処理を終了する。
【００４０】
一方、S705の処理において日数差が一定日数以下のカードがなかった場合(S705のNO)、またはS706の処理において日数差が一定日数以下でもそれぞれのカードの有効期限が一致していた場合(S706のNO)、ＣＰＵ３９は、それぞれのカードの残額を比較する(S709)。
この比較の結果、カード残額が異なる場合(S709のYES)、ＣＰＵ３９は、残額の少ないカードに対して入口情報を送信する(S710)。
また、残額が一致している場合(S709のNO)、ＣＰＵ３９は、最初に検知したカードに対して入口情報を送信しカードのメモリへ書き込む(S711)。
【００４１】
図８のフローチャートを参照して出口料金収受装置１２における料金引き去り処理について説明する。
出口料金収受装置１２では、非接触ＩＣカードリーダ/ライタ４６に非接触ＩＣカード（以下カードと称す）がかざされて、カードが検知されるのを待機している（Step801:以下S801と称す）。
【００４２】
そして、有料道路の出口車線に車両が進入し、車両の運転者が車両を出口車線の路側に設置された非接触ＩＣカードリーダ/ライタ４６の位置に停止させて少なくとも一つのカードを非接触ＩＣカードリーダ/ライタ４６にかざすと、非接触ＩＣカードリーダ/ライタ４６とカード間でデータ通信が開始されて、非接触ＩＣカードリーダ/ライタ４６は、カードより、上記図２に示したカードの情報のうち出口処理に必要な情報（カード発行情報２１、入口処理情報２２、残額情報２５など）を取得する。非接触ＩＣカードリーダ/ライタ４６とカードとの間で通信が開始されたことで非接触ＩＣカードリーダ/ライタ制御部４７からＣＰＵ４９へその旨が通知され、ＣＰＵ４９はカードを検知する(S801のYES)。
【００４３】
カードを検知すると、ＣＰＵ４９は、カードの検出枚数（複数枚か一枚か）をチェックする(S802)。具体的には、ＣＰＵ４９は、非接触ＩＣカードリーダ/ライタ４６によりほぼ同じ時刻に得られたカードのID番号の数をチェックする。ID番号はカード発行情報２１に含まれている。
【００４４】
このチェック結果、カードのID番号が一つだけ得られた場合、つまりカードが一枚だけ検知された場合(S802のNO)、ＣＰＵ４９は非接触ＩＣカードリーダ/ライタ４６が得たカードの情報（カード発行情報２１、入口処理情報２２、残額情報２５など）とメモリ４１に記憶されている料金テーブルの情報に基づいて通行料金を算出し、算出した通行料金をそのカード残額から引き去る処理を行う(S803)。
【００４５】
一方、カードのID番号が複数個得られた場合、つまりカードが複数枚検知された場合(S802のYES)、ＣＰＵ４９は、カードから非接触ＩＣカードリーダ/ライタ４６が得た情報（カード発行情報２１など）を基に、入口情報有効フラグがオンのカードが複数枚存在しないかどうかをチェックする(S804)。
このチェックの結果、入口情報有効フラグがオンのカードが複数枚存在した場合には(S804のYES)、ＣＰＵ４９は、異常と判定してカードに対する処理は行わず、処理異常を表示して(S805)、処理を終了する。
また、入口情報有効フラグがオンのカードが一枚のみであった場合(S804のNO)、ＣＰＵ４９は、複数個のID番号が得られたカード群を一度の取引で処理可能なものと判定し、それぞれのカードの有効期限と現在日付の日数差を算出する(S806)。
ＣＰＵ４９は、算出した各カードの日数差をキーにメモリ４１の目安値テーブル６０に設定されている、ある一定日数以下（日数差が11日以下）のカードの有無をチェックする(S807)。この処理では、日数差が10日以上のカードについては利用制限（引き去り優先など）の対象外にする。
一定日数以下のカードがある場合(S807のYES)、ＣＰＵ４９は、それぞれのカードの有効期限が異なるか否かをチェックする(S808)。
【００４６】
このチェックの結果、それぞれのカードの有効期限が異なる場合(S808のYES)、ＣＰＵ４９は、非接触ＩＣカードリーダ/ライタ制御部４７に対して日数差が最も小さいカードから通行料金を引き去るよう指示し、非接触ＩＣカードリーダ/ライタ制御部４７は、この指示にしたがって非接触ＩＣカードリーダ/ライタ４６を制御して日数差が最も小さいカードから通行料金を引き去る(S809)。
【００４７】
通行料金を引き去さった後、ＣＰＵ４９は、カードの残額情報と引き去り対象の料金とから、料金全額が引き去り済みであるか否かを判定し(S810)、料金全額をカード残額から引き去り済みであれば(S810のYES)、出口処理結果のデータである引き去り処理明細データ（出口処理情報２３などを含む出口トランザクションデータ）をデータ処理装置１４へ送信して(S811)、出口処理を終了する。
【００４８】
また、料金がその一部しか引き去られておらず(S810のNO)、他に残額のあるカード、つまり料金未引去のカードがある場合(S812のYES)、ＣＰＵ４９は、S807の処理へ移り、残りのカードに対して同様のチェックを行い、順次、該当カードより料金の残額の引き去り処理を行う。
S820の処理において、料金未引去のカードがない場合(S812のNO)、ＣＰＵ４９は、表示操作部４４にカード残額がなく現金などの上載せが必要である旨のメッセージを表示して、利用者から出された支払手段（現金、磁気カード、その他）による残額上乗せ処理を行う(S813)。
【００４９】
S807の処理において、日数差が一定日数以下のカードがなかった場合(S807のNO)、またはS808の処理において日数差が一定日数以下でもそれぞれのカードの有効期限が一致していた場合(S808のNO)、ＣＰＵ４９は、それぞれのカードの残額を比較して(S814)、各カードの残額が異なる場合(S814のYES)、残額の少ないカードから料金を引き去る(S815)。また、各カードの残額が一致している場合(S814のNO)、ＣＰＵ４９は、最初に検知したカードから料金を引き去る(S816)。
料金引き去り後、ＣＰＵ４９は、引き去り処理明細データ（出口処理情報２３などを含む出口トランザクションデータ）をデータ処理装置１４へ送信する(S811)。
【００５０】
次に、図９、図１０のフローチャートを参照して積み増し装置１３における残額積み増し処理について説明する。なお出口料金収受装置１２についても残額の積み増し機能を有しており、残額積み増し処理および積み替え処理については、積み増し装置１３と同じ処理を行うものであり、出口料金収受装置１２についての動作説明は省略する。
【００５１】
有料道路のパーキングエリアなどに設置されている積み増し装置１３における残額積み増し処理では、非接触ＩＣカードリーダ/ライタ５６に非接触ＩＣカード（以下カードと称す）がかざされて、カードが検知されるのを待機している（Step901:以下S901と称す）。
運転者が車両を有料道路のパーキングエリアに移動させて、そこに設置されている非接触ＩＣカードリーダ/ライタ５６の位置に停止させ、少なくとも一つのカードを非接触ＩＣカードリーダ/ライタ５６にかざすと、非接触ＩＣカードリーダ/ライタ５６とカードとの間でデータ通信が開始されて、非接触ＩＣカードリーダ/ライタ５６は、カードより、上記図２に示したカードの情報のうち積み増し処理に必要な情報（カード発行情報２１、残額情報２５など）を取得する。非接触ＩＣカードリーダ/ライタ５６とカードとの間で通信が開始されたことで非接触ＩＣカードリーダ/ライタ制御部５７からＣＰＵ５９へその旨が通知され、ＣＰＵ５９はカードを検知する(S901のYES)。
【００５２】
ＩＣカードが検知されると、ＣＰＵ５９は、非接触ＩＣカードリーダ/ライタによってカードより読み出されたカードの情報を読み取り(S902)、読み取ったカードの情報として「券種」、「残額」、「有効期限」などを表示操作部５４に表示する(S903)。「券種」とはカードが非接触ＩＣカードであることを示す情報である。
ＣＰＵ５９は、読み出したカードの有効期限と現在の日付との日数差を算出する(S904)。
【００５３】
また、ＣＰＵ５９は、利用者により操作された表示操作部５４からの積み増し金額入力、および現金処理部５２からの積み増し金の投入を受け付ける(S905)。
そして、ＣＰＵ５９は、入力された積み増し金額、および投入された積み増し金額を表示操作部５４に表示する(S906)。
表示後、ＣＰＵ５９は、S904の処理で算出した日数差を基に、メモリ５１内部に記録されている日数差−積み増し上限の目安値テーブル６０を検索し(S907)、日数差が目安値テーブル６０に登録されているか否か、S905で入力された積み増し金額が目安値テーブル６０中の該当する積み増し上限値６２を超えているか否かを判定する。
【００５４】
この判定の結果、日数差が目安値テーブル６０に登録されており、S905で入力された積み増し金額が、目安値テーブル６０中の該当する積み増し上限値６２を超えている場合(S908のYES)、ＣＰＵ５９は、表示操作部５４の画面の色を変更したり警告メッセージを表示したり、あるいはブザーを鳴動させる等で警告（警報）を行い、利用者に表示操作部５４の選択操作を促す(S909)。
【００５５】
ＣＰＵ５９は、警告（警報）により利用者が行った選択操作に応じた処理、たとえば積み増しキャンセル処理、積み増し実行処理、積み替え処理のうちのいずれかの処理を行う(S911)。
たとえば表示操作部５４に備えられている「積み増し処理のキャンセルボタン」が選択操作された場合(S912のYES)、ＣＰＵ５９は、積み増しキャンセル処理を行い(S913)、処理を終了する。
また、キャンセル操作が行われずに(S912のNO)、積み増し実行の選択操作が行われると(S914のNO)、ＣＰＵ５９は、積み増し額に変更がないかどうかの確認のメッセージを表示操作部５４に表示して利用者に次の操作を促す。
【００５６】
そして、利用者により積み増し実行操作が行われた場合、ＣＰＵ５９は、積み増し額に変更がないものと判定して(S915のNO)、カード残額にS905のステップで入力された積み増し金額を加算し(S916)、表示操作部５４に、積み増し処理の終了を表示し(S917)、積み増し明細データ（積み増し処理情報２４などを含む積み増しトランザクションデータ）をデータ処理装置１４へ送信する(S918)。
また、S913で積み増し額の変更の選択操作が行われた場合(S915のYES)、ＣＰＵ５９は、処理をS905に戻し、積み増し額入力から上記と同様の処理を行う。
【００５７】
一方、S912のステップにおいてキャンセル操作が行われずに(S912のNO)、「積み替えボタン」が選択操作された場合(S914のYES)、ＣＰＵ５９は、カード残額を他のカードへ積み替える処理（積み替え処理）を行い(S919)、積み替え明細データ（積み増し処理情報２４などを含む積み替えトランザクションデータ）をデータ処理装置１４へ送信して(S918)、処理を終了する。
【００５８】
このようにこの実施形態の料金収受システムによれば、一度の取引で複数の非接触ＩＣカード（プリペイドカード）がほぼ同時に使用された場合、有効期限が最も近いカードから料金を引き去るので、有効期限が間近のカードが使いきらずに残ってしまい、利用者が不利益を被ることがなくなり、利用者の利便性を高めることができる。
【００５９】
また、一度の取引で複数のプリペイドカードがほぼ同時に使用された場合、有効期限までが一定日数以下となったカードのみ有効期限に近いカードから料金を引き去り、有効期限までが一定日数より大きい場合には、残額の小さいカードから引き去りを行うので、有効期限が間近のカードが使いきらずに残ってしまうことが防止でき、また、有効期限まで間があるカードに対しては、小額の残額が複数のプリペイドカードに分散してしまうことを防止できる。
【００６０】
さらに、積み増し装置１３および出口料金収受装置１２では、非接触ＩＣカード（プリペイドカード）への残額積み増しの際に、プリペイドカードから読み取った有効期限を表示するので、積み増し利用者が、積み増しを実施しようとするプリペイドカードの有効期限を知ることができ、有効期限が迫ったプリペイドカードに、無意識に高額の積み増しを行うことを防止できる。
また、積み増し利用者が、プリペイドカードの残額の積み増しを実施しようとする際に入力した積み増し額が一定以上であった場合、有効期限が迫ったプリペイドカードに対して、有効期限が迫っている旨を警報（たとえば警告メッセージなどを表示操作部５４に表示）するので、利用者が無意識（不用意）にプリペイドカードに対して高額の積み増しを行ってしまうことを防止できる。
この結果、複数の非接触ＩＣカードをほぼ同時に使用する利用者の利便性を高めることができる。
【図面の簡単な説明】
【００６１】
【図１】料金収受システムの構成を示す図である。
【図２】非接触ＩＣカードのファイル構造図である。
【図３】入口料金収受装置の構成を示すブロック図である。
【図４】出口料金収受装置の構成を示すブロック図である。
【図５】積み増し装置の構成を示すブロック図である。
【図６】日数差と積み増し上限値とを対応させた目安値テーブルを示す図である。
【図７】入口料金収受装置の動作を示すフローチャートである。
【図８】出口料金収受装置の動作を示すフローチャートである。
【図９】積み増し装置および出口料金収受装置の残額積み増し処理動作を示すフローチャートである。
【図１０】積み増し装置および出口料金収受装置の残額積み増し処理動作を示すフローチャートである。
【符号の説明】
【００６２】
１１‥入口料金収受装置、１２‥出口料金収受装置、１３‥積み増し装置、１４‥データ処理装置、２１‥カード発行情報、２２‥入口処理情報、２３‥出口処理情報、２４‥積み増し情報、２５‥残額情報、２６‥利用履歴情報、３０‥入口車線制御装置、３１‥メモリ、３２‥通行券発行部、３３‥利用者表示部、３５‥Ｉ／Ｏ制御部、３６‥非接触ＩＣカードリーダ/ライタ、４７‥非接触ＩＣカードリーダ/ライタ制御部、４１‥出口車線制御装置、４１‥メモリ、４２‥通行券処理部、４３‥領収書発行部、４４‥表示操作部、４５‥Ｉ／Ｏ制御部、４６‥非接触ＩＣカードリーダ/ライタ、４７‥非接触ＩＣカードリーダ/ライタ制御部、５１‥積み増し制御装置、５１‥メモリ、５２‥現金処理部、５３‥領収書発行部、５４‥表示操作部、５５‥Ｉ／Ｏ制御部、５６‥非接触ＩＣカードリーダ/ライタ、５７‥非接触ＩＣカードリーダ/ライタ制御部、６１‥日数差、６２‥積み増し上限値。
【図１】
2005189998.tif 000003
【図２】
2005189998.tif 000004
【図３】
2005189998.tif 000005
【図４】
2005189998.tif 000006
【図５】
2005189998.tif 000007
【図６】
2005189998.tif 000008
【図７】
2005189998.tif 000009
【図８】
2005189998.tif 000010
【図９】
2005189998.tif 000011
【図１０】
2005189998.tif 000012